(57)【特許請求の範囲】
【請求項１】
テーブル面に開口されてドリンク容器を差し込んで立てた状態に保持可能にする容器立てポケットを有するドリンク・テーブルと、上端にフックを前側に向けて有し、そして、下端にそのドリンク・テーブルを後側に向けて取り付けるテーブル・ハンガー・ポストとを含み、そして、そのテーブル・ハンガー・ポストが、シート・バックの上面に開口されるソフト・シェル製アシスト・グリップにそのフックを差し込んで引っ掛けられてそのドリンク・テーブルをそのシート・バックの背裏面に吊り下げるところの自動車シートに用いるドリンク・ホルダー。
【請求項２】
そのドリンク・テーブルおよびテーブル・ハンガー・ポストが樹脂から別体に成形され、そして、そのドリンク・テーブルがそのテーブル・ハンガー・ポストのその下端に使用位置と折りたたみ位置とに揺動可能にヒンジ結合される請求項1に記載の自動車シートに
用いるドリンク・ホルダー。
【請求項３】
そのドリンク・テーブルおよびテーブル・ハンガー・ポストが樹脂から別体に成形され、そして、そのドリンク・テーブルからそのテーブル・ハンガー・ポストのその下端に固定的に取り付けられる請求項1に記載の自動車シートに用いるドリンク・ホルダー。
【請求項４】
そのドリンク・テーブルおよびテーブル・ハンガー・ポストが樹脂から一体的に成形される請求項1に記載の自動車シートに用いるドリンク・ホルダー。
【発明の詳細な説明】
【技術分野】
【０００１】
この発明は、自動車シートに用いるドリンク・ホルダーに関し、詳細には、シート・バックのアシスト・グリップを活用してドリンク・テーブルをそのシート・バックの背裏面に吊り下げるところの自動車シートに用いるドリンク・ホルダーに関する。
【背景技術】
【０００２】
通常、自動車のリア・シートは、センター・アームレストをカップ・ホルダー付きテーブルに活用するのが一般的である。
この種のアームレストでは、コストが嵩む不具合があった。また、リング状ワイヤ・カップ・ホルダーでは、テーブル部分がなくお菓子のようなちょっとした食物がのせられず不便であった。
【先行技術文献】
【特許文献】
【０００３】
特開２００１−３７５８１公報
【発明の概要】
【発明が解決しようとする課題】
【０００４】
この発明の課題は、簡単な構造に製作でき、コスト低減も図られて缶、びん、コップなどの飲料容器を保持できるに加えてお菓子のようなちょっとした食物ものせることができ、前席のシート・バックの上面に開口されるソフト・シェル製アシスト・グリップにフックを差し込んで引っ掛け、簡単に取り付けられてそのシート・バックの背裏面に吊り下げられ、そして、後席乗員に活用可能にして移動を快適にでき、また、取外しも簡単にできるところの自動車シートに用いるドリンク・ホルダーを提供するにある。
【課題を解決するための手段】
【０００５】
この発明の自動車シートに用いるドリック・ホルダーは、テーブル面に開口されてドリンク容器を差し込んで立てた状態に保持可能にする容器立てポケットを有するドリンク・テーブルと、上端にフックを前側に向けて有し、そして、下端にそのドリンク・テーブルを後側に向けて取り付けるテーブル・ハンガー・ポストとを含み、そして、そのテーブル・ハンガー・ポストが、シート・バックの上面に開口されるソフト・シェル製アシスト・グリップにそのフックを差し込んで引っ掛けられてそのドリンク・テーブルをそのシート・バックの背裏面に吊り下げる。
【発明の効果】
【０００６】
この発明の自動車シートに用いるドリンク・ホルダーでは、構造が簡単になって製作でき、コスト低減も図られて缶、びん、コップなどの飲料容器が保持できるに加えてお菓子のようなちょっとした食物ものせることができ、前席のシート・バックの上面に開口されるソフト・シェル製アシスト・グリップにフックを差し込んで引っ掛け、簡単に取り付けられてそのシート・バックの背裏面に吊り下げられ、そのように簡単にセットされて後席乗員に活用可能になり、そして移動が快適になり、また、取外しも簡単になる。
【図面の簡単な説明】
【０００７】
【図１】乗用車のフロント・シートを利用してリア・シートの乗員に活用されるところのこの発明の自動車シートに用いるドリンク・ホルダーの具体例を示した斜視図である。
【図２】そのドリンク・ホルダーをそのフロント・シートのシート・バックに取付け状態で示した断面図である。
【発明を実施するための形態】
【０００８】
この発明の自動車シートに用いるドリンク・ホルダーは、テーブル面に開口されてドリンク容器を差し込んで立てた状態に保持可能にする容器立てポケットを有するドリンク・テーブルと、上端にフックを前側に向けて有し、そして、下端にそのドリンク・テーブルを後側に向けて取り付けるテーブル・ハンガー・ポストとを含み、そして、そのテーブル・ハンガー・ポストが、シート・バックの上面に開口されるソフト・シェル製アシスト・グリップにそのフックを差し込んで引っ掛けられてそのドリンク・テーブルをそのシート・バックの背裏面に吊り下げる。
【０００９】
そして、そのドリンク・テーブルおよびテーブル・ハンガー・ポストが樹脂から別体に成形され、そして、そのドリンク・テーブルがそのテーブル・ハンガー・ポストのその下端に使用位置と折りたたみ位置とに揺動可能にヒンジ結合される。
【００１０】
さらに、そのドリンク・テーブルおよびテーブル・ハンガー・ポストは樹脂から別体に成形され、そして、そのドリンク・テーブルがそのテーブル・ハンガー・ポストのその下端に組み付けられて固定的に取り付けられてもかまわないし、また、そのドリンク・テーブルおよびテーブル・ハンガー・ポストが樹脂から一体的に成形されてもかまわない。
【実施例１】
【００１１】
以下、特定されて図示された具体例に基づいて、この発明の自動車シートに用いるドリンク・ホルダーを説明するに、図1および図２は、乗用車のドライバー・シート３０にお
いてシート・バック３１の上面３３に開口されるポケット型ソフト・シェル製アシスト・グリップ３４を利用してリア・シートの乗員に活用可能にするところのこの発明の自動車シートに用いるドリンク・ホルダーの具体例１０を示し、そして、そのドライバー・シート３０は、シート・クッション（図示せず）、シート・バック３１、およびヘッドレスト３２で組み立てられ、そのシート・クッションがシート・トラック（図示せず）およびシート・リフター（図示せず）を組み込んでそのシート・トラックでその乗用車のフロアに据え付けられ、そのシート・バック３１が両側リクライニング・デバイス（図示せず）でそのシート・クッションに前倒しおよび角度調整可能に支持され、そして、そのヘッドレスト３２がそのシート・バック３１の上面３３に開口される左右のスティ・ホルダーに左右のスティを引き抜き可能に差し込んでそのシート・バック３１のその上面３３に取り付けられる。
【００１２】
そのポケット型ソフト・シェル製アシスト・グリップ３４は、軟質ゴム系樹脂から開口端に取付けフランジ３６を有する断面ハット形に成形され、そして、そのシート・バック３１のその上面３３側でそのシート・バック３１内に組み込まれ、そのシート・バック３１の内部でシート・バック・フレーム（図示せず）のフレーム・ワイヤ（図示せず）に止められてその開口３５をそのシート・バック３１のその上面３３に開口させる。
【００１３】
このドリンク・ホルダー１０では、ドリンク・テーブル１１が、テーブル面１３に開口されたドリンク容器を差し込んで立てた状態に保持可能にする容器立てポケット１４を有し、また、テーブル・ハンガー・ポスト１２が、上端にフック１６を前側に向けて有し、そして、下端にそのドリンク・テーブル１１を後側に向けてボルト・ピン１９およびナット２０で使用位置と折りたたみ位置とに揺動可能にヒンジ結合される。
【００１４】
そのドリンク・テーブル１１およびテーブル・ハンガー・ポスト１２は、樹脂から別体に成形され、そして、そのドリンク・テーブル１１は、そのテーブル面１３の周囲にリブ状に隆起された縁１５を備え、一方、そのテーブル・ハンガー・ポスト１２は、それの下
端で後面に段付けされて突き出されたテーブル・ストッパー１８を備え、そして、そのドリンク・テーブル１１をその使用位置に保持できるようにし、また、そのフック１６の先端に太く段付けされた差込みヘッド１７を形成してその差込みヘッド１７をそのポケット型ソフト・シェル製アシスト・グリップ３４にきついフィット状態に差し込まれるようにしている。
【００１５】
したがって、このドリンク・ホルダー１０では、構造が簡単になって製作され、コスト低減が図られて缶、びん、コップなどのドリンク容器がその容器立てポケット１４に差し込まれて保持され、加えて、お菓子のようなちょっとした食物ものせて食べられ、そのドライバー・シート３０のそのシート・バック３１のその上面３３に開口されるそのポケット型ソフト・シェル製アシスト・グリップ３４にそのフック１６のその差込みヘッド１７を差し込んで引っ掛け、簡単に取り付けられてそのシート・バック３１の背裏面に吊り下げられ、そのように簡単にセットされてそのリア・シートの乗員に活用可能になり、そして、移動が快適になり、また、取外しも簡単になる。
【００１６】
その上述されたドリンク・テーブル１１およびテーブル・ハンガー・ポスト１２は、樹脂から別体に成形され、そして、そのドリンク・テーブル１１がそのテーブル・ハンガー・ポスト１２のその下端に固定的に組み付けられて取り付けられてもかまわない。さらには、そのドリンク・テーブル１１およびテーブル・ハンガー・ポスト１２は、樹脂から一体的に成形されてもかまわない。
【００１７】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１８】
上述から理解されるように、この発明の自動車シートに用いるドリンク・ホルダーは、テーブル面に開口されてドリンク容器を差し込んで立てた状態に保持可能にする容器立てポケットを有するドリンク・テーブルと、上端にフックを前側に向けて有し、そして、下端にそのドリンク・テーブルを後側に向けて取り付けるテーブル・ハンガー・ポストとを含み、そして、そのテーブル・ハンガー・ポストが、シート・バックの上面に開口されるソフト・シェル製アシスト・グリップにそのフックを差し込んで引っ掛けられてそのドリンク・テーブルをそのシート・バックの背裏面に吊り下げるので、この発明の自動車シートに用いるドリンク・ホルダーでは、構造が簡単になって製作でき、コスト低減も図られて缶、びん、コップなどの飲料容器が保持できるに加えてお菓子のようなちょっとした食物ものせることができ、前席のシート・バックの上面に開口されるソフト・シェル製アシスト・グリップにフックを差し込んで引っ掛け、簡単に取り付けられてそのシート・バックの背裏面に吊り下げられ、そのように簡単にセットされて後席乗員に活用可能になり、そして、移動が快適になり、また、取外しも簡単になり、その結果、自動車シートにとって非常に有用で実用的である。
【符号の説明】
【００１９】
１０  自動車シートに用いるドリンク・ホルダー
１１  ドリンク・テーブル
１２  テーブル・ハンガー・ポスト
１３  テーブル面
１４  容器立てポケット
１５  縁
１６  フック
１７  差込みヘッド
１８  テーブル・ストッパー
１９  ボルト・ピン
２０  ナット
３０  ドライバー・シート
３１  シート・バック
３２  ヘッドレスト
３３  上面
３４  ポケット型ソフト・シェル製アシスト・グリップ
３５  開口
３６  取付けフランジ
【図１】
0005661554.tif 000002
【図２】
0005661554.tif 000003